(57)【要約】　　　（修正有）【解決手段】羽子板は、唐木材で羽子板の形状に形成した羽子板本体と、この羽子板本体の表面に表現した上絵とを有する飾り用羽子板であり、飾り用羽子板を支持するための羽子板用の立台を、唐木材で形成したものである。【効果】温度や湿度の変化により羽子板本体や、この立台等が伸縮することもないので、羽子板本体から上絵が剥がれることはなく、丈夫であり、耐久性に優れている。結合箇所がゆるむこともない、【選択図】図５
0003098308.tif 000002
【実用新案登録請求の範囲】
【請求項１】
室内飾り用の装飾品において、
前記装飾品は、唐木材で羽子板の形状に形成した羽子板本体と、この羽子板本体の表面に表現した上絵とを有する飾り用羽子板であること
を特徴とする室内飾り用の装飾品。
【請求項２】
室内飾り用の装飾品において、
前記装飾品は、羽子板の形状に形成した羽子板本体と、この羽子板本体の表面に表現した上絵とを有する飾り用羽子板であり、この飾り用羽子板を支持するための羽子板用の立台を、唐木材で形成したこと
を特徴とする室内飾り用の装飾品。
【請求項３】
前記飾り用羽子板は、前記上絵の図柄を構成する複数の部品を立体的に作成し、これらの複数の部品を組み立ててなる押絵を、前記羽子板本体に固定した押絵羽子板であること
を特徴とする請求項１〜請求項２にそれぞれ記載の室内飾り用の装飾品。
【請求項４】
前記飾り用羽子板は、前記上絵の図柄を木目込みに立体的に作成してなる木目込み絵を、前記羽子板本体に固定した木目込み絵羽子板であること
を特徴とする請求項１〜請求項２にそれぞれ記載の室内飾り用の装飾品。
【請求項５】
前記飾り用羽子板は、前記上絵の図柄を高蒔絵あるいは平蒔絵に作成し、この高蒔絵あるいは平蒔絵を、前記羽子板本体に固定した高蒔絵羽子板あるいは平蒔絵羽子板であること
を特徴とする請求項１〜請求項２にそれぞれ記載の室内飾り用の装飾品。
【請求項６】
室内飾り用の装飾品において、
前記装飾品は、弓と矢とを有する破魔弓セットであり、この破魔弓セットを支持固定するための破魔弓用の立台を、唐木材で形成したこと
を特徴とする室内飾り用の装飾品。
【請求項７】
室内飾り用の装飾品において、
前記装飾品は、女性及び男性の日本人形であり、この日本人形を載置するための台座を、それぞれ唐木材で形成したこと
を特徴とする室内飾り用の装飾品。
【考案の詳細な説明】
【０００１】
【考案の属する技術分野】
この考案は、室内の装飾品として、羽子板、破魔弓、女性の日本人形及び武者人形等の男性の日本人形に関するもので、特に、羽子板の表面に上絵が表現されている飾り用羽子板や、飾り用羽子板及び破魔弓を飾る場合に用いる立台、日本人形を飾る時に用いる台座に関するものである。
【０００２】
【従来の技術】
羽子板は羽根つきの道具として古来普及している。そして、これらの羽子板は、すでに室町時代には、実際に羽根つきをするための遊技用羽子板とお祝い用の飾り用羽子板とに区別されていた。
【０００３】
一般に、飾り用羽子板の場合には、昔から各種の形式のものがある。例えば、白木で形成された羽子板本体の表面に鏝で直接図柄を描き、この図柄にそれぞれ彩色を施した形式の焼絵羽子板、同様に雑木で形成された羽子板本体の表面に直接絵を描いたり、印刷された絵を貼り付けて形成した形式の描絵羽子板等があり、これらの飾り用羽子板の表面には、いずれも上絵が直接表現されている。
【０００４】
又、その他の形式の飾り用羽子板としては、白木の羽子板本体の表面に、立体的な上絵を作成して固着した形式の押絵羽子板やプレス羽子板がある。
【０００５】
いずれの形式の飾り用羽子板も、羽子板本体は、雑木のうち白木のものが使用されている。そして、この羽子板本体の表面には、平面的に描かれた上絵やあるいは立体的に作成された上絵が固着されて、飾り用羽子板が構成されている。
【０００６】
そして、これらの飾り用羽子板は、いずれも、羽子板の柄を下にして、立てた状態で飾るために、飾り用羽子板を傾斜した状態で支持する立台が使用されている。そして、立台は、一般に合板や雑木を用いて形成されている。このような合板、雑木製の羽子板用の立台に、ウレタン等の化学性の塗料で仕上げをしている。
【０００７】
又、破魔弓は、悪魔を射て払うための弓として、魔除けの意味があり、古来、男子誕生の初正月のお祝いに飾られている。そして、一般の破魔弓のタイプとしては、代表的な二つのタイプがある。第１のタイプは、矢を入れるための箙（えびら）を中心に、弓が二本と、数本の矢と、それに松竹梅を配したタイプであり、第２のタイプは、弓一本に四本の矢と的とを配し、さらに、これに大槌小槌や人形等の付属用の小物部品を配したタイプである。
【０００８】
現在の破魔弓は、この二つのタイプを変化させた多くのデザインのものがある。例えば、弓と矢、えびらだけで構成された古くからある基本的なタイプや、この基本的なタイプに、兜や大黐等を加えて内飾りをつけたタイプや、又、基本的なタイプに、縁起物の大槌小槌等を加えたタイプ等があり、いずれのタイプのものも破魔弓セットとして販売されている。
【０００９】
そして、これら種々のタイプの破魔弓セットは、いずれも、付属する小物部品を一纏めにして立てた状態で飾るために立台が使用されている。この立台は、破魔弓セットがどのタイプであるかにより、主体となる弓矢に付属する小物部品が異なるので、各種の形式のものがあり、そして、いずれも立台は、合板や雑木、合成樹脂等により形成されている。
【００１０】
又、日本人形としては、衣装着人形や、木目込み人形、市松人形等各種のタイプのものがあり、又、男子の日本人形としては、武者人形、桃太郎人形、金太郎人形等各種のものがあり、いずれも、台座に載置あるいは固定して飾られている。この台座は、載置される日本人形をよりよく引き立たせるために、各種の構造のものがある。
【００１１】
【考案が解決しようとする課題】
このように、飾り用羽子板の羽子板本体は、雑木で形成したものであるため、長期間保存する場合、羽子板本体が湿気その他環境の変化により伸縮する。そのため、平面的な上絵が描かれている飾り用羽子板５場合には、羽子板本体の伸縮に伴って上絵に歪みが生じることにより、上絵の塗装が剥がれるという問題がある。
【００１２】
又、押絵羽子板等のように、立体的な上絵が施された飾り用羽子板の場合には、上記のような理由により、押絵や木目込み絵等のような立体的な上絵が、羽子板本体から剥がれる等の問題がある。その上、立体的な上絵の場合、各部品は釘打ちで固定されているが、羽子板本体の伸縮により、あるいは経年変化により釘が抜け落ち、上絵が剥がれるという問題もある。
【００１３】
さらに、羽子板本体が、雑木で形成されたものであるため、経年変化により変色したり、かびが生じたり、虫に食われたり等の問題もある。
【００１４】
又、これらの飾り用羽子板は、傾斜した状態で支持する立台に、羽子板の柄を下にして立てた状態で飾るために、従来の羽子板用の立台では、重い飾り羽子板を支持するには、非常に不安定であり、振動により飾り羽子板が転倒したり、又、転倒により飾り羽子板が破損する等の問題がある。さらに、湿気や温度の変動により、又、経年変化による歪みが原因で、立台の結合箇所にゆるみが発生したり、分解する等の問題もある。その上、従来のものは、経年変化により見るからに古くさくなり、見場が悪くなる等の問題もある。
【００１５】
一方、破魔弓セットはかなりの重量があるが、立台に付属品を一纏めにして立てた状態で飾るために、従来の雑木で形成された立台では、上記羽子板用の立台と同様な問題がある。
【００１６】
又、日本人形の場合には、台座（図示せず）に載置あるいは固定して飾るが、やはり、従来の台座では、上記と同様な問題がある。
【００１７】
【課題を解決するための手段】
請求項１に係わる考案は、唐木材で羽子板の形状に形成した羽子板本体と、この羽子板本体の表面に表現した上絵とを有する飾り用羽子板である。
【００１８】
請求項２に係わる考案は、羽子板の形状に形成した羽子板本体と、この羽子板本体の表面に表現した上絵とを有する飾り用羽子板を支持するための羽子板用の立台を、唐木材で形成したものである。
【００１９】
請求項３に係わる考案は、請求項１に記載の飾り用羽子板あるいは請求項２に記載の羽子板用の立台において、飾り用羽子板は、上絵の図柄を構成する複数の部品を立体的に作成し、これらの複数の部品を組み立ててなる押絵を、羽子板本体に固定した押絵羽子板であり、請求項４に係わる考案は、上絵の図柄を木目込みに立体的に作成してなる木目込み絵を、羽子板本体に固定した木目込み絵羽子板であり、請求項５に係わる考案は、上絵の図柄を高蒔絵あるいは平蒔絵に作成し、この高蒔絵あるいは平蒔絵を、羽子板本体に固定した高蒔絵羽子板あるいは平蒔絵羽子板である。
【００２０】
請求項６に係わる考案は、弓と矢とを有する破魔弓セットであり、この破魔弓セットを支持固定するための破魔弓用の立台を、唐木材で形成したものである。
【００２１】
請求項７に係わる考案は、男性及び女性の日本人形であり、この日本人形を載置するための台座を、唐木材で形成したものである。
【００２２】
【考案の実施の形態】
【実施例１】
この考案の第１の実施例を、図１に基づいて説明する。
図１において、飾り用羽子板５０は、この考案では、羽子板本体５１を形成している羽子板用部材としては、唐木材が使用されている。唐木材は、黒檀、紫檀、鉄刀木（たがやさん）、シャム柿、屋久杉、桑、欅、花梨、メープル、ウェンジ、チーク、パイン等の銘木で、最高級の木材である。この唐木材で、形成された羽子板本体５１に、直接絵の具等で上絵５２を描いたり、焼き鏝で直接上絵５２を描き、これに彩色が施されて、飾り用羽子板５０が形成される。
【００２３】
【実施例２】
この考案の第２の実施例を、飾り用羽子板として押絵羽子板２０を例にとり、図２〜図４に基づいて詳細に説明する。
図２は飾り用羽子板１で、押絵羽子板２０の斜視図、図３は羽子板本体２１の製作工程を示すフロー、図４は上絵の製作工程を示すフローである。
【００２４】
図２において、押絵羽子板２０の羽子板本体２１は、実施例１と同様に、唐木材で形成されている。そして、この羽子板本体２１の上絵として、押絵２２が作成されているのが押絵羽子板２０である。
【００２５】
図３に示すように、唐木材で羽子板本体２１を形成し、これに会津塗りを施し、次いで、上絵として押絵２２が作成された豪華な押絵羽子板２０を製作する場合について説明する。
まず、木地師により花梨、鉄刀木等の唐木材が削られて、羽子板本体２１が形成される（ステップ１）。この羽子板本体２１は、塗り師により、節穴や疵等があれば、こくそで埋め込まれ、次いで、補強のために布が張られる（ステップ２）。
【００２６】
布着せ工程が終了すると、下地工程（ステップ３）において、羽子板本体２１の表面全体に、漆ととの粉とを混ぜたものが薄く塗付され、次いで、渋と炭粉が塗られ、研ぎがなされる。この工程が繰り返し丹念になされて羽子板本体２１の下地造りがなされる（ステップ３）。
【００２７】
このようにして、下地造りがなされた後、下塗り、研ぎがなされ（ステップ４）、さらに、中塗り、研ぎがなされ（ステップ５）、仕上げの上塗り工程に入る（ステップ６）。上塗り工程においては、埃や塵が付着しないようにして上塗りがなされた後（ステップ６）、乾燥工程において乾燥される（ステップ７）。
【００２８】
このようにして唐木材で形成され、これに会津塗りが施された羽子板本体２１には、蒔絵師により、裏面あるいはその他所望の箇所に、所望の図柄の蒔絵が描かれ（ステップ８）、会津塗りに蒔絵が描かれた羽子板本体２１が作成される（ステップ９）。
【００２９】
次に、羽子板本体２１の上絵である押絵２２の作成方法について、図４に基づいて説明する。
図４に示すように、羽子板本体２１の上絵５２（押絵２２）の図柄となる原図が作成される（ステップ１０）。この作成された原図は、型切りされて複数の部品に分割される（ステップ１１）。
【００３０】
次いで、型切りされた部品に従って、組み型が作成され（ステップ１２）、この組み型に基づいて布地に張り込み（ステップ１３）がなされ、裁断される（ステップ１４）。裁断された各部品には、綿等をつめるためのくるみ作業が行われ（ステップ１５）、上絵２２（押絵２２）を構成する各ピースは、厚みを持った柔らかさのあるピースとなる。
【００３１】
次いで、上絵２２が人形の場合には、人形の面相が描かれ、その他、小道具等が描かれたり、作成される（ステップ１６）。このようにして、上絵２２の図柄を構成する各ピースが作成された後、それぞれ各ピースは、会津塗りの施された羽子板本体２１の表面へ組み上げされる（ステップ１７）。
【００３２】
羽子板本体２１に上絵２２の図柄に従って組み立てられた各ピースは、釘等で羽子板本体２１に打ち込まれて固定され（ステップ１８）、羽子板本体２１に上絵としての押絵２２が形成される。
【００３３】
さらに、仕上げの作業として図柄に美しさと気品を添えるために、着物等の柄を丹念に描く上絵描きがなされ、装飾用の押絵羽子板２０が完成する。なお、布地として、模様入りを使用した場合には、このような柄を描く必要はない。
【００３４】
このように、羽子板本体２１に唐木材を使用したので、温度や湿度の変化により羽子板本体が伸縮することもないので、羽子板本体２１から上絵２３が剥がれることはなく、丈夫であり、耐久性に優れている。その上、押絵２２の図柄を構成する各ピースを羽子板本体２１に釘打ちした場合でも、釘が抜けることはない。
【００３５】
なお、この実施例では、押絵羽子板２０について説明したが、これに限定されることはなく、羽子板本体２１を唐木材で形成するとともに、上絵として木目込み絵を固定した木目込み絵羽子板でも良く、又、上絵として高蒔絵あるいは平蒔絵を固定した高蒔絵羽子板あるいは平蒔絵羽子板でも、同様な作用効果がある。
【００３６】
このようにして完成した押絵羽子板２０は、図５に示すように、柄２１ａを下にして立台５３に傾斜した状態で飾られる。そして、この立台５３は、各種の形式の飾り用羽子板５０（押絵羽子板２０）に釣り合うように、各種の構造のものがある。
【００３７】
この考案では、立台５３は、羽子板本体２１と同様に、唐木材により形成されている。そして、図５に示すように、立台５３は、床面に設置する台部５４と、この台部５４の上面に立設されて、羽子板の柄５０の端部が係止される前面リブ５５と、この前面リブ５５の背面方向に、前面リブ５５から任意の間隙を介在させて羽子板を傾斜した状態で支持するためのＴ型の支持柱５６と、Ｔ型の支持柱５６を補強するための補強板５７とにより構成されている。
【００３８】
このように、立台５３を構成する各パーツは、すべて唐木材で形成されているので、互いの接合箇所が堅固であるとともに、重量があるので、押し絵羽子板２０のように重い羽子板を傾斜した状態で立て掛けても充分安定的に保持することが出来る。さらに、振動等により、飾り用羽子板２０が立台５３から外れて転倒したりすることもなく、又、ケースに収納した場合、振動等により、飾り用羽子板２０とともに立台５３がケース内で動くこともなく安定性がある。
【００３９】
さらに、従来のように、湿気や温度の変動により、又、経年変化による歪みが発生することもないので、立台５３の結合箇所のゆるみが発生することもなく、当然、分解することもない。その上、従来のように、経年変化による外見の劣化もない等の効果がある。
【００４０】
【実施例３】
この考案の第３の実施例を、破魔弓を例にとり、図６に基づいて説明する。
図６は、弓６２と矢６３、えびら６７だけで構成された古くからある基本的なタイプの破魔弓セット６０を立台６１に組み込んだ状態を示す斜視図である。
【００４１】
この考案では、立台６１は、羽子板本体と同様に、唐木材により形成されている。そして、破魔弓セット６０の立台６１は、破魔弓６２および各付属品を一纏めにして破魔弓セット６０として立てた状態で飾るために種々の形式のものがある。
【００４２】
図６に示すように、立台６１は、床面に載置する台部６４の前方向上面には、弓尻が嵌入する一対の筒状リブ６５が間隙を介在させて突設されているとともに、この一対の筒状リブ６５の後方には、弓６２の中央部分を支持し、矢６３を保持するためのえびら６７を有する弓立て６６が立設されている。６８は家紋取り付け部、６９はケース、７０はケース６９の台座である。
【００４３】
このように立台６１を構成する各パーツ部分は、釘打ちあるいは接着剤等により台部６４や弓立て６６の下端部にそれぞれ固定されているので、重い破魔弓セット６０を立てた状態で充分安定的に保持することが出来るとともに、振動等により倒れることもない。又、ケース６９に収納した場合でも、振動等により破魔弓セット６０が立台６１とともにケース６９内で動くこともなく安定性がある。
【００４４】
【実施例４】
この考案の第４の実施例を、図７に示す日本人形を例にとり説明する。女性の日本人形や男性の武者人形等の日本人形３０は、各種の形状をした台座３１に載置あるいは固定して通常室内に飾られている。
【００４５】
この実施例では、この台座３１が一枚板の唐木材で形成されている。このように、台座３１を唐木材で形成した場合には、日本人形３０を安定的に保持することが出来るとともに、振動等により倒れることもない。
【００４６】
【考案の効果】
請求項１に係わる考案は、羽子板の形状に形成した羽子板本体と、この羽子板本体の表面に表現した上絵とを有する飾り用羽子板において、羽子板本体に唐木材を使用したので、温度や湿度の変化により羽子板本体が伸縮することもないので、羽子板本体から上絵が剥がれることはなく、丈夫であり、耐久性に優れている。その上、上絵を羽子板本体に釘打ちした場合でも、釘が抜けることはない。さらに、従来の羽子板のように、経年変化により羽子板本体が変色したり、かびが生じたり、虫に食われたりすることもなく、又、羽子板本体の伸縮に伴う上絵の歪みが生じることはない。さらに、高価な唐木材を使用しているので、羽子板としての商品価値が高くなるとともに、高級感が得られる。
【００４７】
請求項２に係わる考案は、羽子板の形状に形成した羽子板本体と、この羽子板本体の表面に表現した上絵とを有する飾り用羽子板であり、この飾り用羽子板を支持するための羽子板用の立台を、唐木材で形成したので、重量があり、押絵羽子板や木目込み羽子板等の飾り用羽子板のように重い羽子板を傾斜した状態で立て掛けても充分安定的に保持することが出来る。さらに、振動等により、羽子板が立台から外れて転倒したりすることもない。又、立台を構成する各パーツ部分の接合箇所は、釘打ちあるいは接着剤等により台部にそれぞれ固定されているが、この接合箇所が温度や湿度の変化により伸縮することもなく、経年変化による歪みが発生することもないので、堅固となり、結合箇所にゆるみが生じることもなく、当然、分解することもなく、丈夫であり、耐久性に優れている。又、ケースに収納した場合、振動等により、羽子板と立台がケース内で動くこともなく安定性がある等の効果を有する。さらに、羽子板の立台としての商品価値が高くなるとともに、高級感が得られる。
【００４８】
請求項６に係わる考案は、弓と矢とを有する破魔弓セットであり、この破魔弓セットを支持固定するための破魔弓用の立台を、唐木材で形成したので、立台を構成する各部分は、釘打ちあるいは接着剤等により台部や弓立ての下端部にそれぞれ固定されている箇所が、温度や湿度の変化により伸縮することもなく、経年変化による歪みが発生することもないので、結合箇所にゆるみが生じることもなく、当然、分解することもなく、丈夫であり、耐久性に優れている。その上、重い破魔弓セットを立てた状態で充分安定的に保持することが出来るとともに、振動等により倒れることもない。又、ケースに収納した場合でも、振動等により破魔弓セットが立台とともにケース内で動くこともなく安定性がある。その上、従来のように、経年変化による外見の劣化もない等の効果がある。さらに、破魔弓の立台としての商品価値が高くなるとともに、高級感が得られる。
【００４９】
請求項７に係わる考案は、この日本人形及び武者人形をそれぞれ安置するための台座を、それぞれ唐木材で形成したので、日本人形を安定的に保持することが出来るとともに、振動等により倒れることもない。日本人形の台座としての商品価値が高くなるとともに、高級感が得られる。
【図面の簡単な説明】
【図１】この考案の実施例を示すもので、押絵用羽子板の斜視図である。
【図２】この考案の実施例を示すもので、飾り用羽子板の立台の斜視図である。
【図３】この考案の実施例を示すもので、この考案の実施例を示すもので、羽子板本体に施す会津塗りの製作工程を示すフローである。
【図４】この考案の実施例を示すもので、飾り用羽子板の押絵を製作する工程を示すフローである。
【図５】この考案の実施例を示すもので、飾り用羽子板の立台の斜視図である。
【図６】この考案の実施例を示すもので、破魔弓セットを飾る場合の正面図である。
【図７】この考案の実施例を示すもので、日本人形の斜視図である。
【符号の説明】
２０　　　　　　　押絵羽子板
５０　　　　　　　飾り用羽子板
２１、５１　　　　羽子板本体
２２、５２　　　　上絵
５３　　　　　　　飾り用羽子板の立台
６０　　　　　　　破魔弓セット
６１　　　　　　　破魔弓セットの立台
【図１】
0003098308.tif 000003
【図２】
0003098308.tif 000004
【図３】
0003098308.tif 000005
【図４】
0003098308.tif 000006
【図５】
0003098308.tif 000007
【図６】
0003098308.tif 000008
【図７】
0003098308.tif 000009
【手続補正書】
【提出日】平成15年1月21日(2003.1.21)
【手続補正１】
【補正対象書類名】明細書
【補正対象項目名】全文
【補正方法】変更
【補正の内容】
【考案の詳細な説明】
【実用新案登録請求の範囲】
【請求項１】羽子板において、
前記羽子板は、唐木材で羽子板の形状に形成した羽子板本体と、この羽子板本体の表面に表現した上絵とを有する飾り用羽子板であること
を特徴とする羽子板。
【請求項２】前記飾り用羽子板は、前記上絵の図柄を構成する複数の部品を立体的に作成し、これらの複数の部品を組み立ててなる押絵を、前記羽子板本体に固定した押絵羽子板であること
を特徴とする請求項１に記載の羽子板。
【請求項３】前記飾り用羽子板は、前記上絵の図柄を木目込みに立体的に作成してなる木目込み絵を、前記羽子板本体に固定した木目込み絵羽子板であること
を特徴とする請求項１に記載の羽子板。
【請求項４】前記飾り用羽子板は、前記上絵の図柄を高蒔絵あるいは平蒔絵に作成し、この高蒔絵あるいは平蒔絵を、前記羽子板本体に固定した高蒔絵羽子板あるいは平蒔絵羽子板であること
を特徴とする請求項１に記載の羽子板。
【請求項５】羽子板の付属品において、
この前記羽子板は、羽子板の形状に形成した羽子板本体と、この羽子板本体の表面に表現した上絵とを有する飾り用羽子板であり、前記付属品は、前記飾り用羽子板を支持するための羽子板用の立台であり、この立台を唐木材で形成したこと
を特徴とする羽子板の立台。
【考案の詳細な説明】
【０００１】
【考案の属する技術分野】
この考案は、室内の装飾品としての羽子板及び付属品に関するもので、特に、羽子板の表面に上絵が表現されている飾り用羽子板や、飾り用羽子板を飾る場合に用いる立台に関するものである。
【０００２】
【従来の技術】
羽子板は羽根つきの道具として古来普及している。そして、これらの羽子板は、すでに室町時代には、実際に羽根つきをするための遊技用羽子板とお祝い用の飾り用羽子板とに区別されていた。
【０００３】
一般に、飾り用羽子板の場合には、昔から各種の形式のものがある。例えば、白木で形成された羽子板本体の表面に鏝で直接図柄を描き、この図柄にそれぞれ彩色を施した形式の焼絵羽子板、同様に雑木で形成された羽子板本体の表面に直接絵を描いたり、印刷された絵を貼り付けて形成した形式の描絵羽子板等があり、これらの飾り用羽子板の表面には、いずれも上絵が直接表現されている。
【０００４】
又、その他の形式の飾り用羽子板としては、白木の羽子板本体の表面に、立体的な上絵を作成して固着した形式の押絵羽子板やプレス羽子板がある。
【０００５】
いずれの形式の飾り用羽子板も、羽子板本体は、雑木のうち白木のものが使用されている。そして、この羽子板本体の表面には、平面的に描かれた上絵やあるいは立体的に作成された上絵が固着されて、飾り用羽子板が構成されている。
【０００６】
そして、これらの飾り用羽子板は、いずれも、羽子板の柄を下にして、立てた状態で飾るために、飾り用羽子板を傾斜した状態で支持する立台が使用されている。そして、立台は、一般に合板や雑木を用いて形成されている。このような合板、雑木製の羽子板用の立台に、ウレタン等の化学性の塗料で仕上げをしている。
【０００７】
【考案が解決しようとする課題】
このように、飾り用羽子板の羽子板本体は、雑木で形成したものであるため、長期間保存する場合、羽子板本体が湿気その他環境の変化により伸縮する。そのため、平面的な上絵が描かれている飾り用羽子板の場合には、羽子板本体の伸縮に伴って上絵に歪みが生じることにより、上絵の塗装が剥がれるという問題がある。
【０００８】
又、押絵羽子板等のように、立体的な上絵が施された飾り用羽子板の場合には、上記のような理由により、押絵や木目込み絵等のような立体的な上絵が、羽子板本体から剥がれる等の問題がある。その上、立体的な上絵の場合、各部品は釘打ちで固定されているが、羽子板本体の伸縮により、あるいは経年変化により釘が抜け落ち、上絵が剥がれるという問題もある。
【０００９】
さらに、羽子板本体が、雑木で形成されたものであるため、経年変化により変色したり、かびが生じたり、虫に食われたり等の問題もある。
【００１０】
又、これらの飾り用羽子板は、傾斜した状態で支持する立台に、羽子板の柄を下にして立てた状態で飾るために、従来の羽子板用の立台では、重い飾り羽子板を支持するには、非常に不安定であり、振動により飾り羽子板が転倒したり、又、転倒により飾り羽子板が破損する等の問題がある。さらに、湿気や温度の変動により、又、経年変化による歪みが原因で、立台の結合箇所にゆるみが発生したり、分解する等の問題もある。その上、従来のものは、経年変化により見るからに古くさくなり、見場が悪くなる等の問題もある。
【００１１】
【課題を解決するための手段】
請求項１に係わる考案は、羽子板は、唐木材で羽子板の形状に形成した羽子板本体と、この羽子板本体の表面に表現した上絵とを有する飾り用羽子板である。
【００１２】
請求項２に係わる考案は、請求項１に記載の飾り用羽子板は、上絵の図柄を構成する複数の部品を立体的に作成し、これらの複数の部品を組み立ててなる押絵を、羽子板本体に固定した押絵羽子板であり、請求項３に係わる考案は、上絵の図柄を木目込みに立体的に作成してなる木目込み絵を、羽子板本体に固定した木目込み絵羽子板であり、請求項４に係わる考案は、上絵の図柄を高蒔絵あるいは平蒔絵に作成し、この高蒔絵あるいは平蒔絵を、羽子板本体に固定した高蒔絵羽子板あるいは平蒔絵羽子板である。
【００１３】
請求項５に係わる考案は、羽子板の付属品において、羽子板は、羽子板の形状に形成した羽子板本体と、この羽子板本体の表面に表現した上絵とを有する飾り用羽子板であり、付属品は飾り用羽子板を支持するための羽子板用の立台であり、この立台を唐木材で形成したものである。
【００１４】
【考案の実施の形態】
【実施例１】
この考案の第１の実施例を、図１に基づいて説明する。
図１において、飾り用羽子板５０は、この考案では、羽子板本体５１を形成している羽子板用部材としては、唐木材が使用されている。唐木材は、黒檀、紫檀、鉄刀木（たがやさん）、シャム柿、屋久杉、桑、欅、花梨、メープル、ウェンジ、チーク、パイン等の銘木で、最高級の木材である。この唐木材で、形成された羽子板本体５１に、直接絵の具等で上絵５２を描いたり、焼き鏝で直接上絵５２を描き、これに彩色が施されて、飾り用羽子板５０が形成される。
【００１５】
【実施例２】
この考案の第２の実施例を、飾り用羽子板として押絵羽子板２０を例にとり、図２〜図４に基づいて詳細に説明する。
図２は飾り用羽子板１で、押絵羽子板２０の斜視図、図３は羽子板本体２１の製作工程を示すフロー図、図４は上絵の製作工程を示すフロー図である。
【００１６】
図２において、押絵羽子板２０の羽子板本体２１は、実施例１と同様に、唐木材で形成されている。そして、この羽子板本体２１の上絵として、押絵２２が作成されているのが押絵羽子板２０である。
【００１７】
図３に示すように、唐木材で羽子板本体２１を形成し、これに会津塗りを施し、次いで、上絵として押絵２２が作成された豪華な押絵羽子板２０を製作する場合について説明する。
まず、木地師により花梨、鉄刀木等の唐木材が削られて、羽子板本体２１が形成される（ステップ１）。この羽子板本体２１は、塗り師により、節穴や疵等があれば、こくそで埋め込まれ、次いで、補強のために布が張られる（ステップ２）。
【００１８】
布着せ工程が終了すると、下地工程（ステップ３）において、羽子板本体２１の表面全体に、漆ととの粉とを混ぜたものが薄く塗付され、次いで、渋と炭粉が塗られ、研ぎがなされる。この工程が繰り返し丹念になされて羽子板本体２１の下地造りがなされる（ステップ３）。
【００１９】
このようにして、下地造りがなされた後、下塗り、研ぎがなされ（ステップ４）、さらに、中塗り、研ぎがなされ（ステップ５）、仕上げの上塗り工程に入る（ステップ６）。上塗り工程においては、埃や塵が付着しないようにして上塗りがなされた後（ステップ６）、乾燥工程において乾燥される（ステップ７）。
【００２０】
このようにして唐木材で形成され、これに会津塗りが施された羽子板本体２１には、蒔絵師により、裏面あるいはその他所望の箇所に、所望の図柄の蒔絵が描かれ（ステップ８）、会津塗りに蒔絵が描かれた羽子板本体２１が作成される（ステップ９）。
【００２１】
次に、羽子板本体２１の上絵である押絵２２の作成方法について、図４に基づいて説明する。
図４に示すように、羽子板本体２１の上絵５２（押絵２２）の図柄となる原図が作成される（ステップ１０）。この作成された原図は、型切りされて複数の部品に分割される（ステップ１１）。
【００２２】
次いで、型切りされた部品に従って、組み型が作成され（ステップ１２）、この組み型に基づいて布地に張り込み（ステップ１３）がなされ、裁断される（ステップ１４）。裁断された各部品には、綿等をつめるためのくるみ作業が行われ（ステップ１５）、上絵２２（押絵２２）を構成する各ピースは、厚みを持った柔らかさのあるピースとなる。
【００２３】
次いで、上絵２２が人形の場合には、人形の面相が描かれ、その他、小道具等が描かれたり、作成される（ステップ１６）。このようにして、上絵２２の図柄を構成する各ピースが作成された後、それぞれ各ピースは、会津塗りの施された羽子板本体２１の表面へ組み上げされる（ステップ１７）。
【００２４】
羽子板本体２１に上絵２２の図柄に従って組み立てられた各ピースは、釘等で羽子板本体２１に打ち込まれて固定され（ステップ１８）、羽子板本体２１に上絵としての押絵２２が形成される。
【００２５】
さらに、仕上げの作業として図柄に美しさと気品を添えるために、着物等の柄を丹念に描く上絵描きがなされ、装飾用の押絵羽子板２０が完成する。なお、布地として、模様入りを使用した場合には、このような柄を描く必要はない。
【００２６】
このように、羽子板本体２１に唐木材を使用したので、温度や湿度の変化により羽子板本体が伸縮することもないので、羽子板本体２１から上絵２３が剥がれることはなく、丈夫であり、耐久性に優れている。その上、押絵２２の図柄を構成する各ピースを羽子板本体２１に釘打ちした場合でも、釘が抜けることはない。
【００２７】
なお、この実施例では、押絵羽子板２０について説明したが、これに限定されることはなく、羽子板本体２１を唐木材で形成するとともに、上絵として木目込み絵を固定した木目込み絵羽子板でも良く、又、上絵として高蒔絵あるいは平蒔絵を固定した高蒔絵羽子板あるいは平蒔絵羽子板でも、同様な作用効果がある。
【００２８】
このようにして完成した押絵羽子板２０は、図５に示すように、柄２１ａを下にして立台５３に傾斜した状態で飾られる。そして、この立台５３は、各種の形式の飾り用羽子板５０（押絵羽子板２０）に釣り合うように、各種の構造のものがある。
【００２９】
この考案では、立台５３は、羽子板本体２１と同様に、唐木材により形成されている。そして、図５に示すように、立台５３は、床面に設置する台部５４と、この台部５４の上面に立設されて、羽子板の柄５０の端部が係止される前面リブ５５と、この前面リブ５５の背面方向に、前面リブ５５から任意の間隙を介在させて羽子板を傾斜した状態で支持するためのＴ型の支持柱５６と、Ｔ型の支持柱５６を補強するための補強板５７とにより構成されている。
【００３０】
このように、立台５３を構成する各パーツは、すべて唐木材で形成されているので、互いの接合箇所が堅固であるとともに、重量があるので、押し絵羽子板２０のように重い羽子板を傾斜した状態で立て掛けても充分安定的に保持することが出来る。さらに、振動等により、飾り用羽子板２０が立台５３から外れて転倒したりすることもなく、又、ケースに収納した場合、振動等により、飾り用羽子板２０とともに立台５３がケース内で動くこともなく安定性がある。
【００３１】
さらに、従来のように、湿気や温度の変動により、又、経年変化による歪みが発生することもないので、立台５３の結合箇所のゆるみが発生することもなく、当然、分解することもない。その上、従来のように、経年変化による外見の劣化もない等の効果がある。
【００３２】
【考案の効果】
請求項１に係わる考案は、羽子板は、唐木材で羽子板の形状に形成した羽子板本体と、この羽子板本体の表面に表現した上絵とを有する飾り用羽子板であるから、羽子板本体に唐木材を使用したので、温度や湿度の変化により羽子板本体が伸縮することもないので、羽子板本体から上絵が剥がれることはなく、丈夫であり、耐久性に優れている。その上、上絵を羽子板本体に釘打ちした場合でも、釘が抜けることはない。さらに、従来の羽子板のように、経年変化により羽子板本体が変色したり、かびが生じたり、虫に食われたりすることもなく、又、羽子板本体の伸縮に伴う上絵の歪みが生じることはない。さらに、高価な唐木材を使用しているので、羽子板としての商品価値が高くなるとともに、高級感が得られる。
【００３３】
請求項２〜請求項４に係わる考案は、請求項１に記載の飾り用羽子板は、上絵の図柄を構成する複数の部品を立体的に作成し、これらの複数の部品を組み立ててなる押絵を、羽子板本体に固定した押絵羽子板であり、請求項３に係わる考案は、上絵の図柄を木目込みに立体的に作成してなる木目込み絵を、羽子板本体に固定した木目込み絵羽子板であり、請求項４に係わる考案は、上絵の図柄を高蒔絵あるいは平蒔絵に作成し、この高蒔絵あるいは平蒔絵を、羽子板本体に固定した高蒔絵羽子板あるいは平蒔絵羽子板であるから、上記請求項１と同様な効果がある。
【００３４】
請求項５に係わる考案は、羽子板の付属品において、羽子板は、羽子板の形状に形成した羽子板本体と、この羽子板本体の表面に表現した上絵とを有する飾り用羽子板であり、付属品は飾り用羽子板を支持するための羽子板用の立台であり、この立台を唐木材で形成したので、重量があり、押絵羽子板や木目込み羽子板等の飾り用羽子板のように重い羽子板を傾斜した状態で立て掛けても充分安定的に保持することが出来る。さらに、振動等により、羽子板が立台から外れて転倒したりすることもない。又、立台を構成する各パーツ部分の接合箇所は、釘打ちあるいは接着剤等により台部にそれぞれ固定されているが、この接合箇所が温度や湿度の変化により伸縮することもなく、経年変化による歪みが発生することもないので、堅固となり、結合箇所にゆるみが生じることもなく、当然、分解することもなく、丈夫であり、耐久性に優れている。又、ケースに収納した場合、振動等により、羽子板と立台がケース内で動くこともなく安定性がある等の効果を有する。さらに、羽子板の立台としての商品価値が高くなるとともに、高級感が得られる。
【図面の簡単な説明】
【図１】この考案の実施例を示すもので、押絵用羽子板の斜視図である。
【図２】この考案の実施例を示すもので、飾り用羽子板の立台の斜視図である。
【図３】この考案の実施例を示すもので、この考案の実施例を示すもので、羽子板本体に施す会津塗りの製作工程を示すフロー図である。
【図４】この考案の実施例を示すもので、飾り用羽子板の押絵を製作する工程を示すフロー図である。
【図５】この考案の実施例を示すもので、飾り用羽子板の立台の斜視図である。
【符号の説明】
２０　　　　　　　押絵羽子板
５０　　　　　　　飾り用羽子板
２１、５１　　　　羽子板本体
２２、５２　　　　上絵
５３　　　　　　　飾り用羽子板の立台
【手続補正２】
【補正対象書類名】図面
【補正対象項目名】図６
【補正方法】削除
【補正の内容】
【手続補正３】
【補正対象書類名】図面
【補正対象項目名】図７
【補正方法】削除
【補正の内容】
【手続補正書】
【提出日】平成15年3月14日(2003.3.14)
【手続補正１】
【補正対象書類名】明細書
【補正対象項目名】実用新案登録請求の範囲
【補正方法】変更
【補正の内容】
【実用新案登録請求の範囲】
【請求項１】
羽子板において、
前記羽子板は、唐木材で羽子板の形状に形成した羽子板本体と、この羽子板本体の表面に表現した上絵とを有する飾り用羽子板であること
を特徴とする羽子板。
【請求項２】
前記飾り用羽子板は、前記上絵の図柄を構成する複数の部品を立体的に作成し、これらの複数の部品を組み立ててなる押絵を、前記羽子板本体に固定した押絵羽子板であること
を特徴とする請求項１に記載の羽子板。
【請求項３】
前記飾り用羽子板は、前記上絵の図柄を木目込みに立体的に作成してなる木目込み絵を、前記羽子板本体に固定した木目込み絵羽子板であること
を特徴とする請求項１に記載の羽子板。
【請求項４】
前記飾り用羽子板は、前記上絵の図柄を高蒔絵あるいは平蒔絵に作成し、この高蒔絵あるいは平蒔絵を、前記羽子板本体に固定した高蒔絵羽子板あるいは平蒔絵羽子板であること
を特徴とする請求項１に記載の羽子板。
【請求項５】
羽子板の付属品において、
この前記羽子板は、羽子板の形状に形成した羽子板本体と、この羽子板本体の表面に表現した上絵とを有する飾り用羽子板であり、
前記付属品は、床面に設置する台部と、この台部の上面に立設され、前記飾り用羽子板の柄の単部を係止する前面リブと、この前面リブの背面方向に間隙を介在させて立設し、前記飾り用羽子板を背面から支持する支持柱とを有する羽子板用の立台であり、この立台を唐木材で形成したこと
を特徴とする羽子板の立台。